(57)【特許請求の範囲】
【請求項１】
本体ケース（１）の内部に、送風ファン（３）と、送風ファン（３）を駆動するモーター（４）と、ヒーターユニット（５）が設けてあるヘアードライヤーであって、
本体ケース（１）が、筒状の外ケース（３０）と、外ケース（３０）の内部に内外に重なるように配置される筒状の内ケース（３１）を含んで構成されており、
本体ケース（１）の内部に、送風ファン（３）の周囲を囲み、かつ本体ケース（１）と内外に重なるように配置される筒状のファンケース（１１）が設けられており、
内ケース（３１）が外ケース（３０）とファンケース（１１）の間に配置してあり、
内ケース（３１）を外ケース（３０）寄りに配置して、内ケース（３１）と外ケース（３０）との間の隙間より内ケース（３１）とファンケース（１１）との間の隙間を大きくしてあり、
内ケース（３１）の周囲を覆う部分の外ケース（３０）の周壁に、内ケース（３１）を視認できる開口（４０）が形成してあるヘアードライヤー。
【請求項２】
外ケース（３０）と内ケース（３１）とが、それぞれ異なる色に着色されたプラスチック材で形成してある請求項１に記載のヘアードライヤー。
【請求項３】
内ケース（３１）が送風ファン（３）より後方に配置されており、
内ケース（３１）の周囲を覆う外ケース（３０）の周壁に開口（４０）が形成してある請求項１または２に記載のヘアードライヤー。
【請求項４】
ファンケース（１１）が外ケース（３０）の内面に締結固定されており、
内ケース（３１）が外ケース（３０）に連結構造を介して固定してある請求項１から３のいずれかに記載のヘアードライヤー。
【請求項５】
外ケース（３０）が左右に分割された右ケース（３０ａ）と左ケース（３０ｂ）とを接合して構成されており、
外ケース（３０）に組み付けた内ケース（３１）で、左右両ケース（３０ａ・３０ｂ）が分離不能に固定してある請求項４に記載のヘアードライヤー。
【請求項６】
外ケース（３０）の内面に内ケース（３１）を密着配置して、両ケース（３０・３１）が２重筒状に構成してある請求項１から５のいずれかに記載のヘアードライヤー。
【請求項７】
外ケース（３０）の内面に組み付けられる筒部（４１）が内ケース（３０）に設けられており、
筒部（４１）の外面と外ケース（３０）の内面との間に防傷隙間（５６）が形成してある請求項６に記載のヘアードライヤー。
【請求項８】
ファンケース（１１）の後端外面に吸込グリル（７）が装着されており、
吸込グリル（７）の外周面が、内ケース（３１）の内面に設けた周回状の保持リブ（４５）で保持してある請求項１から７のいずれかに記載のヘアードライヤー。
【請求項９】
吸込グリル（７）が、ファンケース（１１）に装着される装着部（２４）と、ファンケース（１１）の後面開口を覆う部分球面状の吸込壁（２５）とを備えており、
内ケース（３１）の後部に、吸込グリル（７）の吸込壁（２５）を保護する筒状の防護筒壁（４２）が、外ケース（３０）の後方へ突出する状態で設けてある請求項８に記載のヘアードライヤー。
【請求項１０】
内ケース（３１）の防護壁（４２）の壁厚みが、内ケース（３１）の他の部位の壁厚みより大きく設定してある請求項９に記載のヘアードライヤー。
【請求項１１】
本体ケース（１）が、外ケース（３０）と、外ケース（３０）の後部内面に配置される内ケース（３１）と、外ケース（３０）の前部内面に配置される吹出ケース（６０）とで構成されており、
吹出ケース（６０）の周囲を覆う外ケース（３０）の周壁に開口（４０）が形成してある請求項１から１１のいずれかに記載のヘアードライヤー。
【発明の詳細な説明】
【技術分野】
【０００１】
本発明は、本体ケースが内ケースと外ケースとで内外二重に形成してあるヘアードライヤーに関する。
【背景技術】
【０００２】
本発明に関して、視覚効果を高めるために、本体ケースを内ケースと外ケースとで構成し、内ケースを透明材、半透明材、あるいは不透明材で形成し、外ケースを透明材、あるいは半透明材で形成することが特許文献１に公知である。そこでは、外ケースを介して内ケースの着色状態や模様を視認できるので、それぞれ色が異なる内ケースと外ケースを複数種用意しておくことにより、ヘアードライヤーの外観上の印象を多様化できる。
【０００３】
同様のケース構造は特許文献２にも開示されており、そこでは、ファンケースを透明材、あるいは半透明材で形成し、ファンケースの外面に配置される後ケースを透明度の低い半透明材で形成している。また、後ケースとファンケースとの間に隙間を形成することによりファン騒音を防止している。
【０００４】
本体ケースの外観デザインに関して、特許文献３のヘアードライヤーにおいては、本体ケースを透明ないし半透明のプラスチック材で形成し、その内面に装飾シートを配置している。そこでは、透明ないし半透明の本体ケースをを介して装飾シートを視認するので、深みのある色合いを表現でき、ヘアードライヤーの外観上の印象を多様化できる。
【先行技術文献】
【特許文献】
【０００５】
【特許文献１】特開２００４−２１６０６６号公報（段落番号００１９、図２）
【特許文献２】特開２００１−１７８５２９号公報（段落番号００３０、００３１、図４）
【特許文献３】特開２００５−０２３９１０号公報（段落番号００４１、図３）
【発明の概要】
【発明が解決しようとする課題】
【０００６】
特許文献１および２のヘアードライヤーによれば、透明あるいは半透明の外ケースを介して内ケースの着色状態や模様を視認するので、内ケースの呈色状態を深みのあるものとすることができる。また、それぞれ色が異なる内ケースと外ケースを複数種用意しておき、その組み合わせを異ならせることによりヘアードライヤーの外観上の印象を多様化できる。しかし、外ケースの透明度が低ければ低いほど、内ケースの色の彩度が低下して不鮮明になりやすく、とくに内ケースの色が淡い色や中間色である場合に、微妙な色合いを明確に表現することが難しい。
【０００７】
本発明の目的は、従来のヘアードライヤーにない呈色状態が得られ、全体として外観上の印象を興趣に富むものとしてデザイン効果を高めることができるヘアードライヤーを提供することにある。本発明の目的は、デザイン効果を高めるのと同時に、ヘアードライヤーを軽量化できるヘアードライヤーを提供することにある。
【課題を解決するための手段】
【０００８】
本発明に係るヘアードライヤーは、本体ケース１の内部に、送風ファン３と、送風ファン３を駆動するモーター４と、ヒーターユニット５が設けてある。本体ケース１は、外ケース３０と、外ケース３０の内部に配置される内ケース３１を含んで構成する。内ケース３１の周囲を覆う外ケース３０の周壁に、内ケース３１を視認できる開口４０を形成する。外ケース３０と内ケース３１は、異なる色に着色することが好ましいが、同じ色であってもよい。また、多くの場合は、外ケース３０と内ケース３１はプラスチックを素材にして形成するが、両ケース３０・３１のいずれか一方は金属やセラミックスで形成することができる。もちろん、両ケース３０・３１を両方とも金属やセラミックスで形成してもよい。
【０００９】
外ケース３０と内ケース３１は、それぞれ異なる色に着色されたプラスチック材で形成する。本発明において異なる色とは、色相、彩度、明度のいずれかひとつが異なる色を意味し、有彩色はもちろん無彩色も含む概念である。また、異なる色に着色されたプラスチック材とは、成形時のペレットの配合を異ならせて、プラスチック自身の成形色を異ならせたもの、あるいは、成形時には同じ色で成形した外ケース３０と内ケース３１のいずれか一方に塗装を施したものなどを含む。
【００１０】
内ケース３１を送風ファン３より後方に配置する。内ケース３１の周囲を覆う外ケース３０の周壁に開口４０を形成する。
【００１１】
本体ケース１の内部に、送風ファン３の周囲を囲むファンケース１１を配置する。内ケース３１を外ケース３０とファンケース１１の間に配置する。
【００１２】
ファンケース１１は外ケース３０の内面に締結固定する。内ケース３１は外ケース３０に連結構造を介して固定する。
【００１３】
外ケース３０は左右に分割された右ケース３０ａと左ケース３０ｂとを接合して構成する。外ケース３０に組み付けた内ケース３１で、左右両ケース３０ａ・３０ｂを分離不能に固定する。
【００１４】
外ケース３０の内面に内ケース３１を密着配置して、両ケース３０・３１を２重筒状に構成する。
【００１５】
外ケース３０の内面に組み付けられる筒部４１を内ケース３０に設ける。筒部４１の外面と外ケース３０の内面との間に防傷隙間５６を形成する。
【００１６】
ファンケース１１の後端外面に吸込グリル７を装着する。吸込グリル７の外周面を、内ケース３１の内面に設けた周回状の保持リブ４５で保持する。
【００１７】
吸込グリル７は、ファンケース１１に装着される装着部２４と、ファンケース１１の後面開口を覆う部分球面状の吸込壁２５とを備えている。内ケース３１の後部に、吸込グリル７の吸込壁２５を保護する筒状の防護筒壁４２を、外ケース３０の後方へ突出する状態で設ける。
【００１８】
内ケース３１の防護壁４２の壁厚みを、内ケース３１の他の部位の壁厚みより大きく設定する。
【００１９】
本体ケース１を、外ケース３０と、外ケース３０の後部内面に配置される内ケース３１と、外ケース３０の前部内面に配置される吹出ケース６０とで構成する。吹出ケース６０の周囲を覆う外ケース３０の周壁に開口４０を形成する（図７参照）。
【発明の効果】
【００２０】
本発明においては外ケース３０と内ケース３１などで本体ケース１を構成し、内ケース３１の周囲を覆う外ケース３０の周壁に、内ケース３１を視認できる開口４０を形成して、内ケース３１の色あるいは表面状態を開口４０を介して直接視認できるようにした。こうしたヘアードライヤーによれば、外ケース３０の色あるいは表面状態と、内ケース３１の色あるいは表面状態と、開口４０の開口形状とで特定される、多彩なデザインパターンを表現できる。例えば、図２に示すように円形の小開口４０ａと、円形の大開口４０ｂとで開口４０を形成する場合には、外ケース３０の色と、内ケース３１の色の水玉模様とを、それぞれ明確に表現できることになる。しかも、外ケース３０を見るときの角度の違いによって、開口４０の見かけの形状を多様に変化させて、見かけの印象を変化させることができる。
【００２１】
したがって、本発明のヘアードライヤーによれば、透明あるいは半透明の外ケースを介して内ケースの着色状態や模様を視認していた従来の本体ケースに比べて、開口４０を介して直接視認する内ケース３１の色あるいは表面状態をより明確化できる。これにより、ヘアードライヤーの外観上の印象を興趣に富むものとして、デザイン効果が高く強い訴求力を備えたヘアードライヤーを提供できる。さらに、開口４０を形成することにより外ケース３０の重量を減らして、その分だけ本体ケース１を軽量化できるので、持ち重りすることのない使い勝手に優れたヘアードライヤーを提供できる。
【００２２】
両ケース３０・３１のそれぞれを、異なる色に着色されたプラスチック材で形成すると、開口４０を介して直接視認する内ケース３１の呈色状態をさらに明確なものとして、訴求効果をさらに向上できる、また、内ケース３１の色が淡い色や中間色である場合にも、微妙な色合いを明確に表出させて、外観上の印象を興趣に富むものとすることができる。
【００２３】
使用状態において送風ファン３で加圧された乾燥風は、ファンケース１１に案内されてヒーターユニット５へと送給される。このとき、加圧された乾燥風の一部が、ファンケース１１の前開口から漏れ出るおそれがある。しかし、内ケース３１を送風ファン３より後方に配置して、筒部４１および開口４０を送風ファン３より後方に位置させるようにすると、漏れ出た乾燥風が筒部４１および開口４０の側へ回り込むのをよく防止できる。したがって、ファンケース１１から吹出口８に至る乾燥風通路における送風ロスを小さくして、送風ファン３の送風効率を向上できる。
【００２４】
内ケース３１を外ケース３０とファンケース１１の間に配置すると、ファンケース１１から放出されるファン騒音を内ケース３１で遮ることができる。したがって、ファン騒音が開口４０から本体ケース１の外へ漏れ出るのを防いで、静粛なヘアードライヤーとすることができる。
【００２５】
内ケース３１を固定するために、ボス、リブ、フランジなどの取付構造をファンケース１１の側に設ける場合には、ファンケース１１の成形時に、取付構造部分においてヒケなどの成形ひずみを生じやすい。しかし、ファンケース１１を外ケース３０の内面に締結固定し、内ケース３１を外ケース３０に連結構造を介して固定すると、内ケース３１を固定するための構造をファンケース１１の側に設ける必要がなくなる。したがって、先のような成形ひずみを一掃して、送風ファン３による送風効率を向上できる。
【００２６】
左右に分割される右ケース３０ａと左ケース３０ｂとで外ケース３０を構成し、外ケース３０に組み付けられる内ケース３１を利用して左右両ケース３０ａ・３０ｂを分離不能に固定すると、落下衝撃などを受けて左右両ケース３０ａ・３０ｂが分離するのを、内ケース３１で確実に防止できる。また、左右両ケース３０ａ・３０ｂを分離不能に固定するための締結構造を別途設ける必要がなく、その分だけ本体ケース１の構造を簡素化できる。
【００２７】
外ケース３０の内面に内ケース３１を密着配置して、両ケース３０・３１を２重筒状に構成すると、内ケース３１によって本体ケース１の構造強度を増強できる。また、落下衝撃が作用するような場合に、外ケース３０と内ケース３１とが協同して衝撃に対抗し、さらに衝撃を吸収することができる。さらに、内ケース３１とファンケース１１との間に充分な隙間を確保できるので、落下衝撃がファンケース１１に及ぶのを防止して、送風ファン３の送風能力を適正な状態に維持できる。さらに、２重筒状に重なる内外両ケース３０・３１で、送風ファン３の騒音を遮断できる利点もある。
【００２８】
内ケース３０の筒部４１の外面と、外ケース３０の内面との間に防傷隙間５６を形成すると、内ケース３１を外ケース３０に組み付ける過程で、筒部４１の筒表面に擦り傷が生じるのを避けることができる。したがって、擦り傷によって筒部４１の筒表面の光輝性が損なわれるのを一掃して、筒部４１の呈色状態を常に鮮明なものとすることができる。
【００２９】
内ケース３１の内面に設けた周回状の保持リブ４５で吸込グリル７の外周面を保持すると、外ケース３０および内ケース３１に作用する落下衝撃を吸込グリル７にも負担させて、本体ケース１をさらに堅牢化できる。また、リング状の保持リブ４５で吸込グリル７の外周面を保持するので、強い外力を受けた吸込グリル７がファンケース１１に対してずれ動き、あるいはファンケース１１から分離するのを、保持リブ４５で確実に規制できる。
【００３０】
内ケース３１の後部に筒状の防護筒壁４２を設け、この防護筒壁４２で吸込グリル７の吸込壁２５を保護すると、防護筒壁４２が吸込壁２５よりも先に他物と接当することで、落下衝撃や他物と衝突するときの外力を防護筒壁４２で受け止めて、吸込壁２５が凹み変形し、あるいは破損するのをよく防止できる。また、リング状の防護筒部４２を外ケース３０の後側に露出させるので、例えば、防護筒部４２と外ケース３０の色を異ならせておくことにより、防護筒部４２の存在感を強調することができ、内外両ケース３０・３１の色と、開口４０の開口形状によるデザイン効果に加えて、本体ケース１の外観上の印象をさらに興趣に富むものにできる。
【００３１】
内ケース３１の防護壁４２の壁厚みを、内ケース３１の他の部位の壁厚みより大きく設定すると、防護壁４２の構造強度を増強できる。これにより、落下衝撃が防護壁４２に集中して作用するような場合でも、防護壁４２が変形し、あるいは破損するのを確実に防止できる。
【００３２】
外ケース３０の前部内面に吹出ケース６０を配置し、吹出ケース６０の周囲を覆う外ケース３０の周壁に開口４０を形成すると、外ケース３０の色と、吹出ケース６０の色と、開口４０の開口形状とで特定される多彩なデザインパターンを表現できる。また、開口４０を介して視認する吹出ケース６０のデザインパターンの呈色状態をより明確化して、全体としてヘアードライヤーの外観上の印象を興趣に富むものとすることができる。また、温風を連続して送給する場合には、吹出ケース６０が加熱されてその温度が上昇するが、吹出ケース６０熱が開口４０を介して外部へ放出されるので、本体ケースの放熱効果を向上して、前部周壁６１およびその周辺部分が熱くなるのを防止できる。
【図面の簡単な説明】
【００３３】
【図１】ヘアードライヤーの呈色部の構造を示す横断平面図である。
【図２】ヘアードライヤーの側面図である。
【図３】本体ケースの縦断側面図である。
【図４】ブローブラシの分解断面図である。
【図５】図３におけるＡ−Ａ線断面図である。
【図６】本体ケースの呈色部構造を示す縦断側面図である。
【図７】本体ケースの呈色部構造の別の実施例を示す側面図である。
【図８】図７におけるＢ−Ｂ線断面図である。
【図９】本体ケースの呈色部構造のさらに別の実施例を示す横断平面図である。
【発明を実施するための形態】
【実施例】
【００３４】
図１ないし図６は本発明に係るヘアードライヤーの実施例を示す。図２においてヘアードライヤーは、横長筒状の本体ケース１と、本体ケース１の後部寄り下面に連結されるグリップ２とを備えている。本体ケース１の内部には、軸流型の送風ファン３と、ファン駆動用のモーター４と、送風ファン３から送給される空気を加熱するヒーターユニット５などが配置してある。なお、本発明における前後、左右、上下とは、図２に示す交差矢印と、各矢印の近傍に表記した前後、左右、上下の表示に従う。
【００３５】
グリップ２の前面にはスイッチノブ６が設けてあり、このスイッチノブ６をオフ位置から上向きにスライド操作することにより、第１から第３の各運転モードに切り換えることができる。第１運転モードではモーター４のみを高速駆動して、常温の冷風を送給する。第２運転モードでは、モーター４およびヒーターユニット５を同時に駆動するが、モーター４は半速でさらにヒーターユニット５は半分の熱出力で作動させて、比較的低温で低速の温風を送給する。第３運転モードでは、モーター４を高速駆動し、さらにヒーターユニット５を最大の熱出力で作動させて、高温で高速の温風を送給する。送風ファン３を駆動する状態では、本体ケース１の後端の吸込グリル７から外部空気が吸い込まれ、送風ファン３で加圧されたのち、本体ケース１の前端の吹出口８から吹き出される。吹出口８には、吹出ノズル９が着脱自在に装着してある。グリップ２の後面には、後述する放電ユニット１４の作動状態を切り替えるスイッチノブ１０が設けてある。
【００３６】
図３に示すように、本体ケース１の内部には、送風ファン３の周囲を囲むファンケース１１と、ヒーターユニット５の周囲を囲む絶縁筒１２、および金属製のヒーターカバー１９とが配置され、絶縁筒１２およびヒーターカバー１９の前端に金属板材を打ち抜き形成した吹出グリル１３が配置してある。吹出グリル１３に臨むヒーターユニット５の前部中央には、イオン発生用の放電ユニット１４が配置してある。放電ユニット１４は、針状の放電電極１５と、リング状の対向電極１６と、これら両者を支持する絶縁ホルダー１７とからなり、放電電極１５と対向電極１６との対を絶縁ホルダー１７の前部左右に配置して構成してある。符号１８は、整流回路および高電圧のパルス電流を発生する回路が封入してある樹脂モールドである。
【００３７】
ファンケース１１は円筒状に形成してあり、その内面前部に整流翼２０を有し、整流翼２０で囲まれるホルダー部にモーター４が組み付けてある。ファンケース１１の外周面の上下には締結座２１が形成してあり、この締結座２１を後述する外ケース３０にビス２２で締結することにより、ファンケース１１が本体ケース１と一体化してある。ファンケース１１の後部外面に先の吸込グリル７を装着して、髪や衣服の一部が送風ファン３に吸い込まれるのを防いでいる。
【００３８】
吸込グリル７は、円筒状の装着部２４と、部分球面状の吸込壁２５とを一体に備えたパンチングメタル製のプレス成形品からなる。装着部２４をファンケース１１の後部周面に設けた連結部２６に外嵌し、装着部２４の周囲４個所に設けた固定爪２７を、連結部２６の前縁において内側へ折り曲げることにより、吸込グリル７がファンケース１１と一体化してある。連結部２６は、ファンケース１１の筒壁よりひとまわり大きな筒壁で形成してある。
【００３９】
本体ケース１は、前後端が開口する筒状の外ケース３０と、外ケース３０の後部内面に配置される内ケース３１と、外ケース３０の前端外面に装着される連結リング３２（図２参照）とで構成する。外ケース３０は左右に分割してプラスチック成形された右ケース３０ａと左ケース３０ｂとで構成してあり、左右両ケース３０ａ・３０ｂの内面には、ファンケース１１の筒壁を受け止める前後一対の後受リブ３３と、ヒーターカバー１９の筒壁を受け止める前後一対の前受リブ３４が形成してある。
【００４０】
図４に示すように、ファンケース１１の筒壁を受け止める後受リブ３３のうち、後側の後受リブ３３の突出基端側には、ケース壁と同心状の湾曲リブ３５を後向きに突設して、ケース壁と湾曲リブ３５との間に内ケース３１を組み付けるための連結溝３６が形成してある。また、後受リブ３３および湾曲リブ３５の周方向中途部には、後述する係合爪４４を組み付けるための係合口３７が切り欠いてある。右ケース３０ａの内面には、先の締結座２１を締結するためのボス３８が形成してある。
【００４１】
先に述べたように、外ケース３０の後部内面には内ケース３１を組み付けるが、本体ケース１の外観上の印象を興趣に富むものとするために、内ケース３１の外面を覆う外ケース３０の後部周壁３９に、一群の開口４０を内外貫通状に形成している。この実施例においては、直径が小さな円形の小開口４０ａの一群と、小開口４０ａより直径が大きな円形の大開口４０ｂの一群とで開口４０を構成した。図２に示すように、小開口４０ａの一群は、後部周壁３９を周回する状態で波形に分散配置し、波形に配列される小開口４０ａの山部および谷部のそれぞれに大開口４０ｂを配置するようにした。
【００４２】
内ケース３１は前後端が開口する丸筒体状のプラスチック成形品からなり、前半の筒部４１と、後半の防護筒部４２とを一体に備えている。筒部４１の筒壁の上部中央と下部中央を除く周面には浅い凹部４３が形成してあり、筒壁の前端の左右にはＬ字状の係合爪４４が一体に形成してある。凹部４３の深さは０．２ｍｍである。右側の係合爪４４と左側の係合爪４４とは、上下逆向きに形成してある。防護筒部４２の内面の前端には、吸込グリル７の装着部２４を受け止める保持リブ４５が周回状に形成してある。
【００４３】
防護筒部４２の外面直径は、筒部４１の外面直径より大きく設定してあり、この直径差の分だけ防護筒部４２の壁厚みが筒部４１の壁厚みより大きく設定してある（図６参照）。また、防護筒部４２の前後幅は上部中央が最大で、下部中央が最小となるように設定されており、その開口縁は緩やかな後凸湾曲線状に形成してある（図４参照）。先に説明した開口４０と協同して、本体ケース１の外観上の印象を興趣に富むものとするために、内ケース３１の全体は着色されたプラスチック材で形成してある。例えば、外ケース３０を白色に着色されたプラスチック材で形成するとき、内ケース３１を青色（スカイブルー）に着色されたプラスチック材で形成するなど、両ケース３０・３１の色が調和するように配色する。
【００４４】
図２において、連結リング３２は基本的に円形のリングであるが、その左右両側を本体ケース１の後方へ向かってＶ字状に張り出して、張り出し部分の前縁に吹出ノズル９用の回止め凹部４７が形成してある。連結リング３２より前方へ突出する外ケース３０の連結部４８に吹出ノズル９を係合連結することにより、その後縁左右に設けた一対の回止め片４９が、先の回止め凹部４７で受け止められて位置決めされる。吹出ノズル９は、後半の筒基部５０と、筒基部５０からノズル先端へ向かって突設される、５個の花弁状の収束片５１とを一体に備えたプラスチック成形品からなる。筒基部５０および収束片５１は、ノズル先端へ向かって先すぼまり状の湾曲壁で形成してある。これにより、吹出口８から吹出ノズル９の内部へ送出された乾燥風を、筒基部５０と５個の収束片５１で絞り込んで収束することができる。
【００４５】
本体ケース１は、以下の手順で組み立てる。右ケース３０ａに、吹出グリル１３と、ヒーターユニット５および放電ユニット１４が組み付けられた絶縁筒１２およびヒーターカバー１９を組み込む。さらに、送風ファン３およびモーター５と、吸込グリル７が組み付けられたファンケース１１を組み込み、締結座２１を介してボス３８にねじ込まれるビス２２で、ファンケース１１を右ケース３０ａに固定する。次に、左ケース３０ｂを右ケース３０ａに被せ付けて接合し、ヒーターユニット５およびファンケース１１の外面を両ケース３０ａ・３０ｂで覆い隠す。
【００４６】
次に、外ケース３０の前端に連結リング３２を係合する。また、内ケース３１の筒部４１を外ケース３０の後方からケース内面に差し込んで、係合爪４４を係合口３７に差し込む。さらに、筒部４１の前端が連結溝３６の溝底に接当した状態で、内ケース３１の全体を時計回転方向へ回転操作することにより、左右の係合爪４４を係合口３７に臨む後受リブ３３に係合させて、左右ケース３０ａ・３０ｂを分離不能に固定する（図６参照）。
【００４７】
この状態で、図５に示すように右ケース３０ａの下面外方から差し込んだビス５４を内ケース３１にねじ込んで、内ケース３１を外ケース３０に固定する。このように、内ケース３１は、連結溝３６、後受リブ３３、および係合爪４４などを含むバヨネット構造（連結構造）を介して外ケース３０に固定する。最後に、左右に分割されたグリップ２を外ケース３０に組み付けてヘアードライヤーを完成する。なお、吹出ノズル９は、使用者が必要に応じて連結部４８に装着する。
【００４８】
上記のように、本体ケース１の組立が完了した状態においては、リング状の防護筒部４２が外ケース３０の後側に露出するので、外ケース３０とは異なる色の防護筒部４２の存在感が強調される。さらに、筒部４１の色を、外ケース３０に形成した開口４０を介して直接視認することにより、外ケース３０の色に囲まれた状態の水玉模様として見ることができる。しかも、外ケース３０を見るときの角度の違いによって、開口４０の視認形状が多様に変化する。
【００４９】
そのため、透明あるいは半透明の外ケースを介して内ケースの着色状態や模様を視認可能としていた従来の本体ケースに比べて、より明確な呈色状態が得られ、全体として外観上の印象を興趣に富むものとしてデザイン効果を高めることができる。また、内ケース３１の色が淡い色や中間色である場合にも、微妙な色合いを明確に表出させることができ、全体として、デザイン的に強い訴求力を備えたヘアードライヤーが得られる。さらに、開口４０を形成することにより外ケース３０の重量を減らして、その分だけヘアードライヤーを軽量化することができる。
【００５０】
内ケース３１を外ケース３０に組み付ける過程では、筒部４１が後部周壁３９に密着する状態で内ケース３１をケース内部へ差し込み、さらに内ケース３１を回転操作する。このとき、筒部４１の筒表面に擦り傷を生じると、筒表面の光輝性が損なわれ鮮明な呈色状態を発揮できなくなる。こうした不具合を解消し、筒部４１の呈色状態を常に鮮明なものとするために、筒部４１の筒壁外面に浅い凹部４３を設けて、内ケース３１の外面と外ケース３０の内面との間に、両ケース３０・３１の摺接を防ぐ防傷隙間５６を形成している（図６参照）。なお、筒部４１の筒壁の上部中央と下部中央は、内ケース３１を組み付ける過程で外ケース３０の内面に摺接するが、内ケース３１を組み付けた状態においてはいずれの部分も左右ケース３０ａ・３０ｂの接合部分で覆われるので、擦り傷が問題となることはない。
【００５１】
上記のように、内ケース３１を外ケース３０に組み付けた状態においては、筒部４１と後部周壁３９とが２重筒状に重なる。そのため、後部周壁３９に落下衝撃が作用するような場合に、外ケース３０と内ケース３１とが協同して衝撃に対抗し、さらに衝撃を吸収することができ、内ケース３１によって本体ケース１の構造強度を増強できる。また、ファンケース１１の筒壁と筒部４１とは充分な隙間を介して内外に隣接しているので、後部周壁３９に作用する落下衝撃がファンケース１１に及ぶのを防止して、送風ファン３の送風能力を適正な状態に維持できる。２重筒状に重なる内外両ケース３０・３１で、送風ファン３の騒音を遮断できる利点もある。
【００５２】
部分球面状に形成した吸込グリル７の吸込壁２５の周囲は、内ケース３１に設けた筒状の防護筒壁４２で囲まれている。そのため、防護筒壁４２が吸込壁２５よりも先に他物と接当して、落下衝撃や他物と衝突するときの外力を受け止めることができ、これにより吸込壁２５が凹み変形し、あるいは破損するのをよく防止できる。また、吸込グリル７の装着部２４の外周面を、防護筒壁４２の内面前部に設けた周回状の保持リブ４５で保持しているので、落下衝撃を受けた吸込グリル７がファンケース１１から分離するのを確実に防止できる。さらに、護壁４２の壁厚みを内ケース３１の他の部位の壁厚みより大きく設定して、防護壁４２の構造強度を増強するので、落下衝撃が防護壁４２に集中して作用するような場合でも、防護壁４２が変形し、あるいは破損するのを確実に防止できる。
【００５３】
ヘアードライヤーの使用状態において、送風ファン３で加圧された乾燥風はファンケース１１に案内され、整流翼２０で整流したのちヒーターユニット５へと送給される。このとき、加圧された乾燥風の一部が、ファンケース１１とヒーターカバー１９の隙間から漏れ出るおそれがある。このように、ファンケース１１とヒーターカバー１９の隙間から漏れ出た乾燥風が、開口４０から本体ケース１の外へ漏れ出るのを防ぐために、筒部４１および開口４０を送風ファン３より後方に配置している。これにより、ファンケース１１から絶縁筒１２に至る乾燥風通路における送風ロスを小さくして、送風ファン３の送風効率を向上できる。なお、ファンケース１１を支持する前後の後受リブ３３は、ファンケース１１から漏れ出た乾燥風が開口４０の側へ回り込むのを妨げる仕切り壁の機能を発揮する。
【００５４】
図７および図８は本体ケース１の別の実施例を示す。そこでは、外ケース３０と、内ケース３１と、外ケース３０の前部内面に配置される吹出ケース６０とで本体ケース１を構成し、吹出ケース６０の周囲を覆う外ケース３０の前部周壁６１に開口４０を形成するようにした。開口４０は、それぞれ円形の小開口４０ａと大開口４０ｂで構成した。吹出ケース６０は、外ケース３０の内面に組み付けられる筒部６２と、、筒部６２の前部に連続する中間筒部６３と、中間筒部６３の前部に連続する連結部６４を一体に備えたプラスチック成形品からなる。吹出ケース６０の全体は、内ケース３１と同様に着色してある。筒部６２の外周面には浅い凹部４３が形成してあり、中間筒部６３と筒部６２との隣接隅部に連結溝６５が周回状に形成してある。吹出グリル１３は吹出ケース６０の内面に組み付けてある。
【００５５】
筒部６１を外ケース３０の内面に差し込み、連結溝６５を外ケース３０の前端開口に設けたリング状の連結リブ６６に嵌合することにより、吹出ケース６０を外ケース３０と一体化できる。このように、吹出ケース６０は外ケース３０に対して、連結溝６５と連結リブ６６とからなる連結構造で連結し、固定することができる。内ケース３１も同様の連結構造で外ケース３０に連結し、固定することができる。連結部６４には、吹出ノズル９が着脱される。他は先の実施例と同じであるので、同じ部材に同じ符号を付してその説明を省略する。
【００５６】
上記のように構成した本体ケース１によれば、その前部に吹出ケース６０の中間筒部６３が外ケース３０の前側に露出するので、吹出ケース６０と外ケース３０の色を異ならせておくことにより、中間筒部６３の存在感を強調できる。さらに、筒部６２の色を、外ケース３０に形成した開口４０を介して直接視認することにより、外ケース３０の色に囲まれた状態の水玉模様として見ることができる。また、外ケース３０を見るときの角度の違いによって、開口４０の視認形状が多様に変化する。この場合の吹出ケース６０の色は、内ケース３１の色と同じであってもよく、異なっていてもよい。要は、外ケース３０と、内ケース３１と、吹出ケース６０の色が調和する配色であればよい。また、温風を連続して送給する場合には、吹出ケース６０が加熱されてその温度が上昇するが、筒部６２の熱が開口４０を介して外部へ放出されるので、本体ケースの放熱効果を向上して、前部周壁６１およびその周辺部分が熱くなるのを防止できる。
【００５７】
図９は、本体ケース１のさらに別の実施例を示す。そこでは、吹出ノズル９に筒部７０を一体に形成して、吹出ノズル９を図７および図８で説明した外ケース３０に連結固定するようにした。吹出ノズル９の内面には吹出口８を設けて、これで吹出グリル１３を受け止めるようにした。吹出ノズル９は内ケース３１と同様に着色してある。この実施例における吹出ノズル９は、外ケース３０に固定した状態で使用する。他は先の実施例と同じであるので、同じ部材に同じ符号を付してその説明を省略する。
【００５８】
上記の実施例では、開口４０を円形に形成したがその必要はなく、例えば、多角形状、花形、ハート形など任意形状に形成することができる。また、開口形状が異なる複数種の開口で開口４０を構成することができる。さらに、開口４０を複数の溝で構成し、あるいは格子状に形成するなど、デザイン目的に適合した形状や配置パターンを選定することができる。開口４０は外ケース３０の前後中途部など、外ケース３０の前部あるいは後部以外の個所に設けることができる。
【００５９】
防傷隙間５６は、内ケース３１の外面と外ケース３０の内面のいずれか一方に突起、あるいはリブ状の突起を設けて形成することができる。外ケース３０と内ケース３１とは、それぞれ着色された透明あるいは半透明のプラスチック材で形成してあってもよい。保持リブ４５は、無端リング状に形成するのが好ましいが、必要があれば周方向へ断続する複数のリブで構成することができる。内ケース３１は円筒状に形成する必要はなく、周方向へ２分割し、あるいは周方向へ３分割した、断面が部分円弧状の分割ケースを結合して筒状に構成することができる。その場合には、各分割ケースの色を異ならせておくことにより、開口４０を介して視認する内ケース３１の呈色状態を周方向に異ならせて、本体ケース１の外観の印象をさらに興趣に富むものとすることができる。また、内ケース３１を筒軸方向に分割した複数の分割筒体で構成し、各分割筒体の色を異ならせておくと、開口４０を介して視認する内ケース３１の呈色状態を筒軸方向に異ならせることができ、本体ケース１の外観の印象を先の場合とは異なるものとして、独自の興趣を醸すことができる。
【符号の説明】
【００６０】
１  本体ケース
３  送風ファン
４  モーター
５  ヒーターユニット
１１  ファンケース
３０  外ケース
３１  内ケース
４０  開口
４１  筒部
４２  防護筒部
【図１】
0005580556.tif 000002
【図２】
0005580556.tif 000003
【図３】
0005580556.tif 000004
【図４】
0005580556.tif 000005
【図５】
0005580556.tif 000006
【図６】
0005580556.tif 000007
【図７】
0005580556.tif 000008
【図８】
0005580556.tif 000009
【図９】
0005580556.tif 000010